(57)【要約】【課題】状況に応じて通知のなされる距離を調節したい。【解決手段】近距離無線用通信部５０は、他の無線装置から、存在確認の要求が含まれた無線信号を受信する。測定部５２は、受信した無線信号をもとに、他の無線信号との間の距離を推定する。決定部５４は、推定した距離と予め規定したしきい値とを比較し、推定した距離がしきい値よりも短い場合に、存在確認を認定する。近距離無線用通信部５０は、存在確認を認定した場合に、存在確認の応答が含まれた無線信号を他の無線装置に送信する。決定部５４は、推定した距離がしきい値よりも長い場合に、さらに他の無線装置を探索して、当該無線装置でのしきい値を取得し、取得したしきい値の優先度が予め規定したしきい値の優先度よりも高い場合に、推定した距離と取得したしきい値とをもとに、認定処理を実行する。【選択図】図３
2008022491.tif 000002
【特許請求の範囲】
【請求項１】
他の無線装置から、存在確認の要求が含まれた無線信号を受信する受信部と、
前記受信部において受信した無線信号をもとに、前記他の無線信号との間の距離を推定する推定部と、
前記推定部において推定した距離と予め規定したしきい値とを比較し、推定した距離がしきい値よりも短い場合に、存在確認を認定する決定部と、
前記決定部において存在確認を認定した場合に、存在確認の応答が含まれた無線信号を前記他の無線装置に送信する送信部とを備え、
前記決定部は、推定した距離がしきい値よりも長い場合に、さらに他の無線装置を探索して、当該無線装置でのしきい値を取得し、取得したしきい値の優先度が予め規定したしきい値の優先度よりも高い場合に、前記推定部において推定した距離と取得したしきい値とをもとに、認定処理を実行することを特徴とする無線装置。
【請求項２】
前記決定部において、長い距離に対応したしきい値ほど高い優先度が付与されていることを特徴とする請求項１に記載の無線装置。
【請求項３】
前記決定部は、
探索の結果、前記さらに他の無線装置を検知した場合に、所定のコードを表示する表示部と、
前記表示部に表示したコードが、前記さらに他の無線装置に入力された後に、前記さらに他の無線装置からコードを受けつける受付部と、
前記受付部において受けつけたコードと前記表示部において表示したコードとが一致する場合に、取得したしきい値の優先度と予め規定したしきい値の優先度との比較を実行する比較部と、
を備えることを特徴とする請求項１または２に記載の無線装置。
【請求項４】
存在確認の要求が含まれた無線信号を送信する第１の無線装置と、
前記第１の無線装置から、存在確認の要求が含まれた無線信号を受信し、前記第１の無線装置に、存在確認の応答が含まれた無線信号を送信する第２の無線装置と、
前記第２の無線装置と通信可能な第３の無線装置とを備え、
前記第２の無線装置は、
受信した無線信号をもとに、前記第１の無線装置との間の距離を推定する推定部と、
前記推定部において推定した距離と予め規定したしきい値とを比較し、推定した距離がしきい値よりも短い場合に、存在確認を認定し、存在確認の応答が含まれた無線信号を生成する決定部とを備え、
前記決定部は、推定した距離がしきい値よりも長い場合に、前記第３の無線装置を探索して、前記第３の無線装置でのしきい値を取得し、取得したしきい値の優先度が予め規定したしきい値の優先度よりも高い場合に、前記推定部において推定した距離と取得したしきい値とをもとに、認定処理を実行することを特徴とする存在確認システム。
【請求項５】
前記第１の無線装置は、前記第２の無線装置と前記第３の無線装置との位置関係を推定し、位置関係の差異が大きい場合に、前記第２の無線装置に対して、前記第３の無線装置でのしきい値を使用しないように指示することを特徴とする請求項４に記載の存在確認システム。
【請求項６】
他の無線装置から、存在確認の要求が含まれた無線信号を受信するステップと、
受信した無線信号をもとに、前記他の無線信号との間の距離を推定するステップと、
推定した距離と予め規定したしきい値とを比較し、推定した距離がしきい値よりも短い場合に、存在確認を認定するステップと、
存在確認を認定した場合に、存在確認の応答が含まれた無線信号を前記他の無線装置に送信するステップとを備え、
前記認定するステップは、推定した距離がしきい値よりも長い場合に、さらに他の無線装置を探索して、当該無線装置でのしきい値を取得し、取得したしきい値の優先度が予め規定したしきい値の優先度よりも高い場合に、推定した距離と取得したしきい値とをもとに、認定処理を実行することを特徴とする存在確認方法。
【発明の詳細な説明】
【技術分野】
【０００１】
本発明は、存在確認技術に関し、特に一方の無線装置が他方の無線装置の存在を確認する存在確認方法ならびにそれを利用した無線装置および存在確認システムに関する。
【背景技術】
【０００２】
互いに通信可能なふたつの無線装置のうちの一方（以下、「第１装置」という）の置き忘れ、盗難等の紛失を防止するために、以下のような技術が提案されている。ふたつの無線装置のうちの他方（以下、「第２装置」という）は、ユーザによって携帯されており、第２装置は、第１装置からの無線信号を受信する。第２装置は、無線信号の信号強度を測定し、測定した信号強度が小さくなると、第１装置が紛失した旨をユーザに通知する（例えば、特許文献１参照。）
【特許文献１】特開２００２−４２０８４号公報
【発明の開示】
【発明が解決しようとする課題】
【０００３】
第１装置が放置された状態のまま、第２装置を携帯したユーザが第１装置から離れると、第２装置は、ユーザに対して紛失した旨を通知する。このとき、第１装置が子供に携帯され、第２装置が親に携帯されていると、上記の動作によって、迷子の防止を実現できる。迷子になったとされる距離は、一般的に子供の年齢に応じて異なる。つまり、子供の年齢が低くなるほど、迷子になったとされる距離は、短くなるべきである。そのため、複数の子供のそれぞれに無線装置を携帯させる場合、迷子になったとされる距離は、子供の年齢に応じて無線装置単位に異なった値に設定される。このような構成によれば、年齢の異なった子供が一緒に行動する場合、その中で一番年齢の低い子供に対応した距離にて通知がなされる。しかしながら、年齢の低い子供は年齢の高い子供と一緒に行動しているので、そのような通知は不要である。つまり、状況に応じて通知のなされる距離を調節するための機能が必要になる。
【０００４】
本発明はこうした状況を認識してなされたものであり、その目的は、状況に応じて通知のなされる距離を変更する存在確認技術を提供することにある。
【課題を解決するための手段】
【０００５】
上記課題を解決するために、本発明のある態様の無線装置は、他の無線装置から、存在確認の要求が含まれた無線信号を受信する受信部と、受信部において受信した無線信号をもとに、他の無線信号との間の距離を推定する推定部と、推定部において推定した距離と予め規定したしきい値とを比較し、推定した距離がしきい値よりも短い場合に、存在確認を認定する決定部と、決定部において存在確認を認定した場合に、存在確認の応答が含まれた無線信号を他の無線装置に送信する送信部とを備える。決定部は、推定した距離がしきい値よりも長い場合に、さらに他の無線装置を探索して、当該無線装置でのしきい値を取得し、取得したしきい値の優先度が予め規定したしきい値の優先度よりも高い場合に、推定部において推定した距離と取得したしきい値とをもとに、認定処理を実行する。
【０００６】
「他の無線信号との間の距離を推定」するために、無線信号の信号強度が測定されてもよく、信号強度から距離が算出されてもよく、距離に応じた値が導出されればよい。「しきい値」が、距離に対するしきい値に相当する場合、このようなしきい値の増加は、受信強度に対するしきい値の減少に相当する。この態様によると、推定した距離がしきい値よりも長く存在を確認できない場合であっても、他の無線装置でのしきい値も使用して認証処理を実行するので、状況に応じて通知のなされる距離を変更できる。
【０００７】
決定部において、長い距離に対応したしきい値ほど高い優先度が付与されていてもよい。この場合、長い距離に対応したしきい値が優先的に使用されるので、通知のなされる距離を長くできる。
【０００８】
決定部は、探索の結果、さらに他の無線装置を検知した場合に、所定のコードを表示する表示部と、表示部に表示したコードが、さらに他の無線装置に入力された後に、さらに他の無線装置からコードを受けつける受付部と、受付部において受けつけたコードと表示部において表示したコードとが一致する場合に、取得したしきい値の優先度と予め規定したしきい値の優先度との比較を実行する比較部と、を備えてもよい。この場合、コードが一致した場合にしきい値間の比較を実行するので、本無線装置を携帯しているユーザの存在が、さらに他の無線装置を携帯しているユーザによって認識されているかを確認できる。
【０００９】
本発明の別の態様は、存在確認システムである。この存在確認システムは、存在確認の要求が含まれた無線信号を送信する第１の無線装置と、第１の無線装置から、存在確認の要求が含まれた無線信号を受信し、第１の無線装置に、存在確認の応答が含まれた無線信号を送信する第２の無線装置と、第２の無線装置と通信可能な第３の無線装置とを備える。第２の無線装置は、受信した無線信号をもとに、第１の無線装置との間の距離を推定する推定部と、推定部において推定した距離と予め規定したしきい値とを比較し、推定した距離がしきい値よりも短い場合に、存在確認を認定し、存在確認の応答が含まれた無線信号を生成する決定部とを備える。決定部は、推定した距離がしきい値よりも長い場合に、第３の無線装置を探索して、第３の無線装置でのしきい値を取得し、取得したしきい値の優先度が予め規定したしきい値の優先度よりも高い場合に、推定部において推定した距離と取得したしきい値とをもとに、認定処理を実行する。
【００１０】
この態様によると、推定した距離が第２の無線装置でのしきい値よりも長く存在を確認できない場合であっても、第３の無線装置でのしきい値も使用して認証処理を実行するので、状況に応じて通知のなされる距離を変更できる。
【００１１】
第１の無線装置は、第２の無線装置と第３の無線装置との位置関係を推定し、位置関係の差異が大きい場合に、第２の無線装置に対して、第３の無線装置でのしきい値を使用しないように指示してもよい。この場合、第２の無線装置を携帯しているユーザと第３の無線装置を携帯しているユーザとは、別に行動していると想定されるので、それぞれの無線装置に対して規定されたしきい値を使用することによって、それぞれの無線装置の存在を正確に検出できる。
【００１２】
本発明のさらに別の態様は、存在確認方法である。この方法は、他の無線装置から、存在確認の要求が含まれた無線信号を受信するステップと、受信した無線信号をもとに、他の無線信号との間の距離を推定するステップと、推定した距離と予め規定したしきい値とを比較し、推定した距離がしきい値よりも短い場合に、存在確認を認定するステップと、存在確認を認定した場合に、存在確認の応答が含まれた無線信号を他の無線装置に送信するステップとを備える。認定するステップは、推定した距離がしきい値よりも長い場合に、さらに他の無線装置を探索して、当該無線装置でのしきい値を取得し、取得したしきい値の優先度が予め規定したしきい値の優先度よりも高い場合に、推定した距離と取得したしきい値とをもとに、認定処理を実行する。
【００１３】
なお、以上の構成要素の任意の組合せ、本発明の表現を、方法、装置、システムなどの間で変換したものもまた、本発明の態様として有効である。
【発明の効果】
【００１４】
本発明によれば、状況に応じて通知のなされる距離を変更できる。
【発明を実施するための最良の形態】
【００１５】
本発明を具体的に説明する前に、概要を述べる。本発明の実施例は、携帯端末装置（以下、「マスタ端末装置」という）と無線通信機器（以下、「スレーブ端末装置」という）とによって構成される通信システムに関する。また前提として、マスタ端末装置は基地局装置と通信することによって、マスタ端末装置と基地局装置とは携帯電話システムを構成している。ここで、端末装置携帯電話システムとは別に、マスタ端末装置はスレーブ端末装置と通信する。また、マスタ端末装置は、親に携帯されており、スレーブ端末装置は、子供に携帯されている。親が子供から離れたとき、子供が迷子になっているか否かを判別するために、マスタ端末装置は、スレーブ端末装置に要求信号を送信する。
【００１６】
スレーブ端末装置は、受信した要求信号をもとにマスタ端末装置との距離を推定し、推定した距離がしきい値よりも短いときに存在を確認する。また、スレーブ端末装置は、推定した距離がしきい値よりも短くないときに不存在を確認する。さらに、スレーブ端末装置は、確認結果が含まれるように応答信号をマスタ端末装置に送信する。マスタ端末装置は、応答信号に含まれた内容に応じて、親に通知を行う。
【００１７】
このような状況下、年齢の高い子供と年齢の低い子供が、スレーブ端末装置をそれぞれ携帯している場合、それぞれのスレーブ端末装置において、存在を確認するための距離が異なっている。つまり、年齢の低い子供に携帯されるスレーブ端末装置（以下、「第１スレーブ端末装置」という）では、年齢の高い子供に携帯されるスレーブ端末装置（以下、「第２スレーブ端末装置」という）よりも、存在を確認するためのしきい値が短くなるように設定されている。そのため、年齢の低い子供が年齢の高い子供と共に行動していても、第１スレーブ端末装置の不存在が先に確認される。一般的に、親にとってこのような通知は不要である。
【００１８】
そのため、本実施例に係る第１スレーブ端末装置は、以下のような処理を実行する。第１スレーブ端末装置は、推定した距離がしきい値よりも短くないときに、直ちに不存在を確認せずに、他のスレーブ端末装置の存在を探索する。第２スレーブ端末装置が検知されると、第１スレーブ端末装置は、第２スレーブ端末装置でのしきい値を取得する。第１スレーブ端末装置は、推定した距離が取得したしきい値よりも短ければ、存在を確認し、それに応じた応答信号をマスタ端末装置に送信する。
【００１９】
図１は、本発明の実施例に係る通信システム１００の構成を示す。通信システム１００は、マスタ端末装置１０、第１スレーブ端末装置１２、第２スレーブ端末装置１４、基地局装置１６を含む。また、マスタ端末装置１０は、携帯電話用アンテナ１８、近距離無線用アンテナ２２を含み、第１スレーブ端末装置１２は、近距離無線用アンテナ２４を含み、第２スレーブ端末装置１４は、近距離無線用アンテナ２６を含み、基地局装置１６は、携帯電話用アンテナ２０を含む。
【００２０】
マスタ端末装置１０は、携帯電話用アンテナ１８を備え、携帯電話用アンテナ２０を備えた基地局装置１６に対して通信を実行する。ここで、マスタ端末装置１０と基地局装置１６によって、携帯電話システムが構成されている。そのため、基地局装置１６は、図示しないネットワークに接続されている。なお、携帯電話システムとしてのマスタ端末装置１０と基地局装置１６の構成は、公知の技術によって構成されればよいので、ここでは説明を省略する。
【００２１】
マスタ端末装置１０は、第１スレーブ端末装置１２および第２スレーブ端末装置１４とも通信を実行している。また、これら以外にも、マスタ端末装置１０は、図示しないスレーブ端末装置と通信を実行してもよい。その際、マスタ端末装置１０の近距離無線用アンテナ２２、第１スレーブ端末装置１２の近距離無線用アンテナ２４、第２スレーブ端末装置１４の近距離無線用アンテナ２６が使用される。ここで、近距離無線通信システムとしては、例えば、Ｚｉｇｂｅｅ（商標）、Ｂｌｕｅｔｏｏｔｈ（商標）、ＮＦＣ（Ｎｅａｒ  Ｆｉｅｌｄ  Ｃｏｍｍｕｎｉｃａｔｉｏｎ  ａｎｄ  ｐｒｏｔｏｃｏｌ）あるいは特定小電力無線などが挙げられるが、ここでは特に限定しない。
【００２２】
なお、マスタ端末装置１０と基地局装置１６との間における通信は、音声通信等であるのに対して、マスタ端末装置１０と第１スレーブ端末装置１２との間、およびマスタ端末装置１０と第２スレーブ端末装置１４との間における通信は、第１スレーブ端末装置１２や第２スレーブ端末装置１４がマスタ端末装置１０の近傍に存在しているかを確認するための通信である。マスタ端末装置１０は、近距離無線通信システムを使用しながら、第１スレーブ端末装置１２および第２スレーブ端末装置１４に対して要求信号を送信する。ここで、要求信号は、存在確認の要求が含まれた無線信号である。また、要求信号は、所定の時間間隔にて送信されてもよいし、マスタ端末装置１０を操作するユーザの指示にしたがって送信されてもよい。ここでは、説明を明瞭にするために、要求信号が、マスタ端末装置１０から第１スレーブ端末装置１２へ送信される場合を中心に説明する。
【００２３】
第１スレーブ端末装置１２は、マスタ端末装置１０から、要求信号を受信する。また、第１スレーブ端末装置１２は、受信した要求信号をもとに、存在確認が要求されていることを認識するとともに、マスタ端末装置１０との間の距離を推定する。第１スレーブ端末装置１２は、推定した距離と予め規定したしきい値とを比較し、推定した距離がしきい値よりも短い場合に、存在確認を認定する。さらに、第１スレーブ端末装置１２は、応答信号をマスタ端末装置１０に送信する。ここで、応答信号は、存在確認の応答が含まれた無線信号である。
【００２４】
一方、第１スレーブ端末装置１２は、推定した距離がしきい値よりも長い場合に、他のスレーブ端末装置を探索する。他のスレーブ端末装置として第２スレーブ端末装置１４が検知された場合、第１スレーブ端末装置１２は、近距離無線通信システムを使用しながら、第２スレーブ端末装置１４からしきい値を取得する。取得されたしきい値は、第２スレーブ端末装置１４に対して当初から設定されたしきい値である。また、第１スレーブ端末装置１２は、取得したしきい値に付与された優先度と、予め規定したしきい値に付与された優先度とを比較し、前者の方が高い場合に、推定した距離と取得したしきい値とをもとに、認定処理を実行する。ここで、優先度は、長い距離を実現できるしきい値に対して、より高くなるように設定されている。認定処理の結果、第１スレーブ端末装置１２は、存在確認の応答、あるいは不存在確認の応答を含めながら応答信号を生成し、応答信号をマスタ端末装置１０に送信する。
【００２５】
マスタ端末装置１０は、応答信号を受信すると、その内容を確認し、内容に応じた通知を実行する。例えば、存在確認の応答が含まれていると、マスタ端末装置１０は、その旨を表示するだけであるが、不存在確認の応答が含まれていると、マスタ端末装置１０は、警告音を出力する。なお、以上の説明において、要求信号と応答信号は、パケット信号にて形成されていればよい。
【００２６】
図２は、マスタ端末装置１０の構成を示す。マスタ端末装置１０は、携帯電話用アンテナ１８、近距離無線用アンテナ２２、携帯電話用通信部３０、近距離無線用通信部３２、制御部３４、入力インタフェース部３６、出力インタフェース部３８、記憶部４０を含む。
【００２７】
携帯電話用通信部３０は、携帯電話用アンテナ１８を介して、図示しない基地局装置１６と通信を行う。このような通信を実行するために、携帯電話用通信部３０は、送信処理と受信処理とを実行するが、前述のごとく、携帯電話通信システムとして、公知の技術が使用されればよいので、ここでは、携帯電話用通信部３０の処理の説明を省略する。近距離無線用通信部３２は、近距離無線用アンテナ２２を介して、図示しない第１スレーブ端末装置１２に要求信号を送信する。また、要求信号の送信後、近距離無線用通信部３２は、応答信号を受信する。
【００２８】
入力インタフェース部３６は、例えば、複数のボタン等によって構成されており、ユーザからの指示を受けつける。入力インタフェース部３６は、受けつけた指示を制御部３４に出力し、制御部３４は、指示の内容に応じて、受けつけた指示を出力する。また、入力インタフェース部４６は、ユーザからの指示として、図示しない第１スレーブ端末装置１２の存在を確認する旨の要求を受けつける。
【００２９】
記憶部４０は、第１スレーブ端末装置１２、第２スレーブ端末装置１４およびそれら以外のスレーブ端末装置を識別するための識別番号等を記憶する。例えば、第１スレーブ端末装置１２に対して要求信号等の無線信号を送信する際、記憶部４０は、制御部３４に対して、第１スレーブ端末装置１２に付与された識別番号を出力する。また、記憶部４０は、携帯電話用通信部３０での通信に必要なデータも記憶するが、ここでは、説明を省略する。
【００３０】
制御部３４は、マスタ端末装置１０全体の動作を制御する。制御部３４は、パケット信号の前方の部分に、要求信号の宛先として識別番号を配置し、パケット信号の中央部分に存在確認を要求する旨の指示を配置することによって、要求信号を生成する。制御部３４は、生成した要求信号を近距離無線用通信部３２に出力する。また、制御部３４は、近距離無線用通信部３２から応答信号を入力する。制御部３４は、応答信号に含まれた内容を確認し、内容に応じた動作を実行する。
【００３１】
出力インタフェース部３８は、ディスプレイ等の表示部やスピーカによって構成されており、制御部３４の指示をもとに、所望の動作を実行する。ここで、制御部３４は、確認した内容が存在確認の応答である場合、その旨をディスプレイに表示し、確認した内容が不存在確認の応答である場合、その旨をディスプレイに表示するとともに、スピーカから警告音を出力させる。
【００３２】
この構成は、ハードウエア的には、任意のコンピュータのＣＰＵ、メモリ、その他のＬＳＩで実現でき、ソフトウエア的にはメモリのロードされた通信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００３３】
図３は、第１スレーブ端末装置１２の構成を示す。第１スレーブ端末装置１２は、近距離無線用アンテナ２４、近距離無線用通信部５０、測定部５２、決定部５４、問合部５６、記憶部５８、制御部６６、入力インタフェース部６２、出力インタフェース部６４を含む。また、第２スレーブ端末装置１４も、第１スレーブ端末装置１２の構成を有する。
【００３４】
近距離無線用通信部５０は、近距離無線用アンテナ２４を介して、図示しないマスタ端末装置１０との通信を実行する。近距離無線用通信部５０の機能は、近距離無線用通信部３２の機能と同様である。具体的に説明すると、近距離無線用通信部５０は、マスタ端末装置１０から要求信号を受信し、マスタ端末装置１０に応答信号を送信する。また、詳細は後述するが、近距離無線用通信部５０は、図示しない第２スレーブ端末装置１４に問合信号を送信し、第２スレーブ端末装置１４から返答信号を受信する。
【００３５】
測定部５２は、近距離無線用通信部５０において受信した要求信号に対して、信号強度を測定する。なお、所定の伝搬モデルを想定することによって、信号強度は、マスタ端末装置１０との距離に対応づけられる。そのため、測定部５２における信号強度の測定は、マスタ端末装置１０との距離の推定に相当する。ここで、測定部５２は、信号強度から距離を導出してもよい。
【００３６】
決定部５４は、測定部５２において測定した信号強度と記憶部５８において記憶したしきい値とを比較し、信号強度がしきい値よりも大きい場合に、存在確認を認定する。このように、測定部５２において信号強度が導出される場合、記憶部５８は、信号強度に対するしきい値を記憶する。しかしながら、前述のごとく、信号強度と距離とは、関係づけられている。そのため、測定部５２において距離が導出される場合、記憶部５８は、距離に対するしきい値を記憶する。ここで、信号強度に対するしきい値が小さくなれば、距離に対するしきい値は、大きくなる。そのため、決定部５４は、推定した距離と予め規定したしきい値とを比較し、推定した距離がしきい値よりも短い場合に、存在確認を認定するともいえる。なお、以下においては、説明を簡潔にするために、測定部５２は、信号強度を測定し、しきい値は、信号強度に対するしきい値であるとする。
【００３７】
決定部５４は、測定部５２において測定した信号強度がしきい値よりも小さい場合に、その旨を問合部５６に出力する。問合部５６は、近距離無線用通信部５０を介して、問合信号を送信する。問合信号は、近傍に他のスレーブ端末装置が存在するかを検索するために送信される信号である。当該問合信号を受信したスレーブ端末装置、例えば第２スレーブ端末装置１４は、第１スレーブ端末装置１２に対して、返答信号を送信する。返答信号は、自らが存在することを第１スレーブ端末装置１２に知らしめるために送信される信号である。また、返答信号には、第２スレーブ端末装置１４において規定されているしきい値が含まれる。なお、以上の処理は、第２スレーブ端末装置１４での近距離無線用通信部５０、問合部５６、記憶部５８においてなされる。問合部５６は、近距離無線用通信部５０を介して、返答信号を受信する。返答信号を受信した場合、問合部５６は、返答信号に含まれたしきい値と、当該しきい値に対応したスレーブ端末装置の識別番号を決定部５４と記憶部５８に出力する。
【００３８】
図４は、記憶部５８に記憶されたデータのデータ構造を示す。図示のごとく、スレーブ端末装置ＩＤ欄２００としきい値欄２０２とが含まれる。スレーブ端末装置ＩＤ欄２００には、スレーブ端末装置に付与された識別番号が入力され、しきい値欄２０２には、識別番号に対応したしきい値が入力される。スレーブ端末装置ＩＤ欄２００の一段目には、識別番号が入力されていないが、これに対応したしきい値「Ｃ１」は、第１スレーブ端末装置１２にて規定されたしきい値に相当する。図３に戻る。
【００３９】
決定部５４は、問合部５６において取得したしきい値の優先度と予め規定されたしきい値の優先度とを比較する。優先度は、任意の規則にしたがって付与されていればよいが、ここでは、長い距離に対応したしきい値、つまり小さい値のしきい値ほど高い優先度が付与されている。決定部５４は、取得したしきい値の優先度が予め規定したしきい値の優先度よりも高い場合、つまり取得したしきい値が予め規定したしきい値よりも小さい場合に、測定部５２において測定した信号強度と取得したしきい値とをもとに、認定処理を実行する。そのため、信号強度がしきい値よりも大きければ、前述のごとく、存在確認が認定される。
【００４０】
一方、信号強度がしきい値よりも小さければ、不存在確認が認定される。なお、問合部５６において複数のスレーブ端末装置が検出された場合、上記の処理が繰り返し実行されればよい。最終的に、決定部５４は、存在確認の応答または不存在確認の応答が含まれた応答信号を生成する。近距離無線用通信部５０は、決定部５４において生成した応答信号をマスタ端末装置１０に送信する。制御部６６は、第１スレーブ端末装置１２全体のタイミングを制御し、入力インタフェース部６２、出力インタフェース部６４は、図示しない入力インタフェース部３６、出力インタフェース部３８にそれぞれ相当する。
【００４１】
以上の構成による通信システム１００の動作を説明する。図５は、通信システム１００における存在確認の手順を示すシーケンス図である。マスタ端末装置１０は、要求信号を生成し（Ｓ１０）、生成した要求信号を第１スレーブ端末装置１２に送信する（Ｓ１２）。第１スレーブ端末装置１２は、要求信号を受信し（Ｓ１４）、信号強度を測定する（Ｓ１６）。また、第１スレーブ端末装置１２は、しきい値確認処理を実行した（Ｓ１８）後に、比較処理を実行し（Ｓ２０）、問合信号を生成する（Ｓ２２）。問合信号は、第１スレーブ端末装置１２から第２スレーブ端末装置１４に送信され（Ｓ２４）、第２スレーブ端末装置１４は、問合信号を受信する（Ｓ２６）。
【００４２】
第２スレーブ端末装置１４は、返答信号を生成し（Ｓ２８）、生成した返答信号を送信する（Ｓ３０）。第１スレーブ端末装置１２は、返答信号を受信し（Ｓ３２）、比較処理を再び実行する（Ｓ３４）。第１スレーブ端末装置１２は、応答信号を生成し（Ｓ３６）、生成した応答信号を送信する（Ｓ３８）。マスタ端末装置１０は、応答信号を受信し（Ｓ４０）、受信した応答信号にもとづいた通知を実行する（Ｓ４２）。
【００４３】
以上の構成による第１スレーブ端末装置１２の動作を説明する。図６は、第１スレーブ端末装置１２におけるしきい値確認処理の手順を示すフローチャートである。図６は、図５のステップ１８に相当する。決定部５４は、設定されたしきい値（以下、「設定値」という）がデフォルト値に等しくなければ（Ｓ６０のＮ）、問合部５６に対して、他のスレーブ装置の存在を確認させる（Ｓ６２）。ここで、デフォルト値は、第１スレーブ端末装置１２に対して予め規定されているしきい値である。また、存在を確認するために、前述の問合信号および返答信号が使用されてもよい。他のスレーブ端末装置が存在しなければ（Ｓ６４のＮ）、決定部５４は、設定値をデフォルト値に戻す（Ｓ６６）。一方、他のスレーブ端末装置が存在する場合（Ｓ６４のＹ）、および設定値がデフォルト値である場合（Ｓ６０のＹ）、決定部５４は、処理を終了する。
【００４４】
図７は、第１スレーブ端末装置１２における応答信号の生成手順を示すフローチャートである。図７は、図５の第１スレーブ端末装置１２における処理のうち、ステップ２０からステップ３６に相当する。決定部５４において、信号強度が設定値より大きければ（Ｓ８０のＹ）、決定部５４は、存在確認が含まれた応答信号を生成する（Ｓ９２）。決定部５４において、信号強度が設定値より大きくなければ（Ｓ８０のＮ）、問合部５６は、他のスレーブ端末装置の存在を確認する（Ｓ８２）。他のスレーブ端末が存在し（Ｓ８４のＹ）、他の端末装置のしきい値の方が小さければ（Ｓ８６のＹ）、決定部５４は、他のスレーブ端末装置のしきい値を設定値に代入する（Ｓ８８）。
【００４５】
信号強度が設定値よりも大きければ（Ｓ９０のＹ）、決定部５４は、存在確認が含まれた応答信号を生成する（Ｓ９２）。一方、他のスレーブ端末が存在せず（Ｓ８４のＮ）、あるいは他の端末装置のしきい値の方が小さくなく（Ｓ８６のＮ）、あるいは信号強度が設定値よりも大きくなければ（Ｓ９０のＮ）、決定部５４は、不存在確認が含まれた応答信号を生成する（Ｓ９４）。
【００４６】
以下、変形例を説明する。実施例において、第１スレーブ端末装置１２は、信号強度が予め規定したしきい値よりも小さい場合に、第２スレーブ端末装置１４に対して規定されたしきい値を使用する。変形例では、信号強度が予め規定したしきい値よりも小さい場合であっても、第１スレーブ端末装置１２が、第２スレーブ端末装置１４に対して規定されたしきい値を使用しない。マスタ端末装置１０は、第１スレーブ端末装置１２と第２スレーブ端末装置１４との位置関係を推定する。例えば、マスタ端末装置１０は、アンテナ指向性が互いに異なった複数のセクタアンテナを備えており、それぞれのセクタアンテナにおいて、第１スレーブ端末装置１２からの受信信号の信号強度と第２スレーブ端末装置１４からの受信信号の信号強度とを測定する。第１スレーブ端末装置１２からの受信信号の信号強度が最大となるセクタアンテナと、第２スレーブ端末装置１４からの受信信号の信号強度が最大となるセクタアンテナとが異なっている場合、マスタ端末装置１０は、両者の位置関係の差異が大きいと判定する。
【００４７】
また、例えば、マスタ端末装置１０は、アダプティブアレイアンテナを備えており、第１スレーブ端末装置１２に対するウエイトベクトルと、第２スレーブ端末装置１４に対するウエイトベクトルとの相関値がしきい値よりも小さい場合に、両者の位置関係の差異が大きいと判定する。マスタ端末装置１０は、位置関係の差異が大きい場合に、第１スレーブ端末装置１２に対して、第２スレーブ端末装置１４において規定されたしきい値を使用しないように指示する。この指示は、要求信号に含まれてもよい。以上のような状況下では、第１スレーブ端末装置１２を携帯した子供と、第２スレーブ端末装置１４を携帯した子供とが、別々に行動していると想定されるためである。
【００４８】
なお、マスタ端末装置１０は、位置関係の差異が大きい場合に、第１スレーブ端末装置１２と第２スレーブ端末装置１４に対して、両者のしきい値よりも大きい値のしきい値を送信してもよい。つまり、マスタ端末装置１０は、現在よりも存在が確認される距離が短くなるようなしきい値を送信する。第１スレーブ端末装置１２および第２スレーブ端末装置１４は、マスタ端末装置１０からしきい値を使用し、互いのしきい値を使用しない。以上のような状況下では、マスタ端末装置１０を携帯したユーザは、第１スレーブ端末装置１２を携帯した子供と、第２スレーブ端末装置１４を携帯した子供とを探す必要があるので、予め存在が確認される距離を短くしておく。
【００４９】
別の変形例を説明する。第１スレーブ端末装置１２を携帯した子供と、第２スレーブ端末装置１４を携帯した子供とが、ある程度近くにいても、そのことを互いに認識しているかは明らかではない。つまり、一緒に行動しているとは限らない。そのような状況において相手側に合わせるようにしきい値を変更すると、迷子になる可能性が高くなる。変形例では、子供同士が互いに認識しているかを確認するための機能を説明する。問合部５６による検索の結果、第２スレーブ端末装置１４を検知した場合、制御部６６は、ランダムなコードを生成する。ランダムなコードの生成には、公知の技術が使用されればよいので、ここでは説明を省略する。出力インタフェース部６４に含まれた表示部は、制御部６６において生成したコードを表示する。
【００５０】
第２スレーブ端末装置１４を携帯している子供は、第１スレーブ端末装置１２の表示部に表示されたコードを第２スレーブ端末装置１４の入力インタフェース部６２に入力する。第２スレーブ端末装置１４の近距離無線用通信部５０は、入力されたコードを第１スレーブ端末装置１２に送信する。第１スレーブ端末装置１２の近距離無線用通信部５０は、第２スレーブ端末装置１４からのコードを受けつける。問合部５６は、近距離無線用通信部５０において受けつけたコードと、表示部において表示したコードとが一致する場合に、取得したしきい値の優先度と予め規定したしきい値の優先度との比較を実行する。これに続く処理は、これまでと同様であるので、ここでは、説明を省略する。一方、異なっていれば、問合部５６は、両者の優先度の比較処理を中止する。
【００５１】
図８は、第１スレーブ端末装置１２における第２スレーブ端末装置の確認手順を示すシーケンス図である。図８のシーケンス図は、図５のステップ３２とステップ３４との間に配置される。第１スレーブ端末装置１２は、第２スレーブ端末装置１４を検知する（Ｓ１１０）と、コードをランダムに生成し（Ｓ１１２）、生成したコードを表示部に表示する（Ｓ１１４）。第２スレーブ端末装置１４には、コードが入力される（Ｓ１１６）。第２スレーブ端末装置１４は、コードを送信する（Ｓ１１８、Ｓ１２０）。第１スレーブ端末装置１２は、受信したコードと生成したコードとを比較し（Ｓ１２２）、同一であればしきい値の比較を実行する（Ｓ１２４）。
【００５２】
さらに別の変形例では、第１スレーブ端末装置１２を携帯した子供と、第２スレーブ端末装置１４を携帯した子供とが、別々に行動しており、マスタ端末装置１０を携帯した親が、そのうちの一方、例えば、第１スレーブ端末装置１２を携帯した子供を捜している場合を前提とする。そのような状況において親は、第２スレーブ端末装置１４を携帯した子供の位置を気にせずに行動する。そのため、マスタ端末装置１０と第２スレーブ端末装置１４との距離も大きくなって、マスタ端末装置１０では、第２スレーブ端末装置１４からの警告がなされる。しかしながら、第１スレーブ端末装置１２を携帯した子供を捜している親は、第２スレーブ端末装置１４からの警告を無視したい場合がある。
【００５３】
マスタ端末装置１０を携帯した親は、入力インタフェース部３６を介して、制御部３４に第１スレーブ端末装置１２を介している旨を指示する。制御部３４は、第２スレーブ端末装置１４への要求信号の送信を中止する。あるいは、近距離無線用通信部３２が、第２スレーブ端末装置１４からの応答信号を受信し、当該応答信号に不存在の確認が含まれていた場合であっても、制御部３４は、警告の出力を中止する。その結果、不要な警告の出力を抑制できる。
【００５４】
本発明の実施例によれば、測定した受信強度がしきい値よりも小さく、存在を確認できない場合であっても、別のスレーブ端末装置でのしきい値も使用して認証処理を実行するので、状況に応じて通知のなされる距離を変更できる。また、状況に応じて通知のなされる距離を変更するので、不要な通知を回避できる。また、長い距離に対応したしきい値が優先的に使用されるので、通知のなされる距離を長くできる。また、通知のなされる距離が長くなるので、不要な通知を回避できる。また、コードが一致した場合にしきい値間の比較を実行するので、第１スレーブ端末装置を携帯しているユーザの存在が、第２スレーブ端末装置を携帯しているユーザによって認識されているかを確認できる。
【００５５】
また、第１スレーブ端末装置を携帯しているユーザの存在が、第２スレーブ端末装置を携帯しているユーザによって認識されているかを確認できるので、両者に対する状況を確認できる。また、第１スレーブ端末装置を携帯している子供と第２スレーブ端末装置を携帯している子供とは、別に行動していると想定されるので、それぞれのスレーブ端末装置に対して規定されたしきい値を使用することによって、それぞれのスレーブ端末装置の存在を正確に検出できる。また、それぞれのスレーブ端末装置の存在が正確に検出されるので、両者を使用している子供が迷子になる確率を低減できる。
【００５６】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【図面の簡単な説明】
【００５７】
【図１】本発明の実施例に係る通信システムの構成を示す図である。
【図２】図１のマスタ端末装置の構成を示す図である。
【図３】図１の第１スレーブ端末装置の構成を示す図である。
【図４】図３の記憶部に記憶されたデータのデータ構造を示す図である。
【図５】図１の通信システムにおける存在確認の手順を示すシーケンス図である。
【図６】図３の第１スレーブ端末装置におけるしきい値確認処理の手順を示すフローチャートである。
【図７】図３の第１スレーブ端末装置における応答信号の生成手順を示すフローチャートである。
【図８】図３の第１スレーブ端末装置における第２スレーブ端末装置の確認手順を示すシーケンス図である。
【符号の説明】
【００５８】
１０  マスタ端末装置、  １２  第１スレーブ端末装置、  １４  第２スレーブ端末装置、  １６  基地局装置、  ３０  携帯電話用通信部、  ３２  近距離無線用通信部、  ３４  制御部、  ３６  入力インタフェース部、  ３８  出力インタフェース部、  ４０  記憶部、  ５０  近距離無線用通信部、  ５２  測定部、  ５４  決定部、  ５６  問合部、  ５８  記憶部、  ６２  入力インタフェース部、  ６４  出力インタフェース部、  ６６  制御部、  １００  通信システム。
【図１】
2008022491.tif 000003
【図２】
2008022491.tif 000004
【図３】
2008022491.tif 000005
【図４】
2008022491.tif 000006
【図５】
2008022491.tif 000007
【図６】
2008022491.tif 000008
【図７】
2008022491.tif 000009
【図８】
2008022491.tif 000010